(57)【要約】【課題】  放熱板が高温になった場合には、放熱板から発せられる熱がケースに伝導してしまうことにより、放熱板とケースが接触する部分のケースの温度も上昇するため、ケースの温度が上昇した分だけケース内部の温度も上昇してしまうということ。【解決手段】    発熱体１と、本体２と、コントローラ３と、ケース４と、表面材５と、電力制御素子６と、制御基板７と、放熱板８と、断熱材９とを備え、放熱板８が高温になった場合であっても、断熱材９によって放熱板８から発せられる熱を遮断することで、放熱板８から発せられる熱が直接ケース４に伝導しないようになるので、ケース内部の温度の上昇を抑制することができる面状採暖具となる。【選択図】  図１
2007178023.tif 000002
【特許請求の範囲】
【請求項１】
発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記放熱板と前記ケースとの間に取り付けられた断熱材とを備えた面状採暖具。
【請求項２】
発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記放熱板が前記ケースと接触する部分に設けられたケース空洞部とを備えた面状採暖具。
【発明の詳細な説明】
【技術分野】
【０００１】
本発明は面状採暖具に関するものである。
【背景技術】
【０００２】
従来、この種の面状採暖具は、発熱体を内蔵する本体と、発熱体の温度制御を行うコントローラを有し、発熱体から発する熱を利用して局部暖房に使用している。（例えば特許文献１参照）
図３は従来の面状採暖具を示すものである。図３に示すように、発熱体２１と、本体２２と、コントローラ２３と、ケース２４と、表面材２５と、電力制御素子２６と、制御基板２７と、放熱板２８から構成されている。
【特許文献１】特開平８−２３３２９８号公報
【発明の開示】
【発明が解決しようとする課題】
【０００３】
しかしながら、前記従来の構成では、電力制御素子２６から発生する熱がケース２４内部にこもらないように、電力制御素子２６に接続された放熱板２８の一部がケース２４の開口部を介してケース２４と表面材２５との間に取り付けられているが、放熱板２８が高温になった場合には、放熱板２８から発せられる熱がケース２４に伝導し、放熱板２８とケース２４が接触する部分のケース２４の温度も上昇するため、ケース２４の温度が上昇した分だけケース２４内部の温度も上昇してしまう可能性があるという課題を有していた。
【０００４】
本発明は前記従来の課題を解決するもので、放熱板２８が高温になった場合でも、ケース２４内部の温度の上昇を抑制することができる面状採暖具を提供することを目的とする。
【課題を解決するための手段】
【０００５】
前記従来の課題を解決するために、本発明の面状採暖具は、放熱板とケースとの間に断熱材を設ける構成にしたものである。
【０００６】
これによって、放熱板が高温になった場合であっても、放熱板から発せられる熱が直接ケースに伝導しなくなるため、ケース内部の温度の上昇を抑制することが可能となる。
【０００７】
また、本発明の面状採暖具は、放熱板とケースとが接触する部分にケース空洞部を設ける構成にしたものである。
【０００８】
これによって、放熱板が高温になった場合であっても、放熱板から発せられる熱が直接ケース内部に伝導しなくなるため、ケース内部の温度の上昇を抑制することが可能となる。
【発明の効果】
【０００９】
本発明の面状採暖具は、放熱板とケースとの間に断熱材を設けることにより、放熱板が高温になった場合であっても、放熱板から発せられる熱が直接ケースに伝導しないようにすることで、ケース内部の温度の上昇を抑制することができる。
【００１０】
また、本発明の面状採暖具は、放熱板とケースとが接触する部分にケース空洞部を設けることにより、放熱板が高温になった場合であっても、放熱板から発せられる熱が直接ケ
ース内部に伝導しないようにすることで、ケース内部の温度の上昇を抑制することができる。
【発明を実施するための最良の形態】
【００１１】
第１の発明は、発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記放熱板と前記ケースとの間に取り付けられた断熱材とを備えた構成とすることにより、前記放熱板が高温になった場合であっても、前記断熱材によって前記放熱板から発せられる熱を遮断することで、前記放熱板から発せられる熱が直接前記ケースに伝導しないようにすることが可能となり、前記ケース内部の温度の上昇を抑制することができる。
【００１２】
第２の発明は、発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記放熱板と前記ケースとが接触する部分に設けられたケース空洞部を備えた構成とすることにより、前記放熱板が高温になった場合であっても、前記ケース空洞部によって前記放熱板から発せられる熱を遮断することで、前記放熱板から発せられる熱が直接前記ケース内部に伝導しないようにすることが可能となり、前記ケース内部の温度の上昇を抑制することができる。
【００１３】
以下本発明の実施の形態について、図面を参照しながら説明する。なお、本実施の形態によって本発明が限定されるものではない。
【００１４】
（実施の形態１）
図１は本発明の第１の実施の形態における面状採暖具の構成図である。
【００１５】
図１において、１は発熱体、２は発熱体１を内蔵する本体、３は発熱体１の温度制御を行うコントローラ、４はコントローラ３の外郭を成し、本体２に取り付けられたケース、５はケース４の上面の一部を覆う表面材、６はケース４に内蔵され、発熱体１に電力を供給し制御する電力制御素子、７は電力制御素子６を搭載し制御する制御基板、８は電力制御素子６に一部を接続され、また別の一部がケース４の開口部を介してケース４の外側でケース４と表面材５との間に取り付けられた放熱板、９は放熱板８とケース４との間に取り付けられた断熱材である。  
【００１６】
以上のように構成された面状採暖具について以下その動作、作用を説明する。
【００１７】
まず、電力制御素子６から発生する熱は放熱板８から放出されるため、それに伴い放熱板８が次第に高温となっていく。そして放熱板８が高熱になると、放熱板８から発せられる熱が伝導し、放熱板８周辺の温度も上昇していく。しかし断熱材９があるため放熱板８から発せられる熱はそこで遮断され、直接ケース４には伝導しなくなり、ケース４の表面温度の上昇は抑制される。このようにしてケース４の表面温度の上昇を抑制することで、ケース４内部の温度の上昇を抑制することができる。
【００１８】
以上のように、本実施の形態においては、発熱体１と、発熱体１を内蔵する本体２と、
発熱体２の温度制御を行うコントローラ３と、コントローラ３の外郭を成し、本体２に取り付けられたケース４と、ケース４の上面の一部を覆う表面材５と、ケース４に内蔵され、発熱体１に電力を供給し制御する電力制御素子６と、電力制御素子６を搭載し制御する制御基板７と、電力制御素子６に一部を接続され、また別の一部がケース４の開口部を介してケース４の外側でケース４と表面材５との間に取り付けられた放熱板８と、放熱板８とケース４との間に取り付けられた断熱材９とを備えた構成とすることにより、放熱板８が高温になった場合であっても、断熱材９によって放熱板８から発せられる熱を遮断することで、放熱板８から発せられる熱が直接ケース４に伝導しないようにすることが可能となるため、ケース４内部の温度の上昇を抑制することができる面状採暖具とすることができる。
【００１９】
なお、本実施の形態においては、表面材５は本体２と一体とし、また制御基板７の数は１つとしたが、表面材５と本体２が独立している場合、及び制御基板７の数が２つ以上に分割されている場合においても同様である。
【００２０】
（実施の形態２）
図２は本発明の第２の実施の形態における面状採暖具の構成図である。
【００２１】
図２において、１は発熱体、２は発熱体１を内蔵する本体、３は発熱体１の温度制御を行うコントローラ、４はコントローラ３の外郭を成し、本体２に取り付けられたケース、５はケース４の上面の一部を覆う表面材、６はケース４に内蔵され、発熱体１に電力を供給し制御する電力制御素子、７は電力制御素子６を搭載し制御する制御基板、８は電力制御素子６に一部を接続され、また別の一部がケース４の開口部を介してケース４の外側でケース４と表面材５との間に取り付けられた放熱板、１０は放熱板８とケース４とが接触する部分に設けられたケース空洞部である。  
【００２２】
以上のように構成された面状採暖具について以下その動作、作用を説明する。
【００２３】
まず、電力制御素子６から発生する熱は放熱板８から放出されるため、それに伴い放熱板８が次第に高温となっていく。そして放熱板８が高熱になると、放熱板８から発せられる熱が伝導し、放熱板８周辺の温度も上昇し、ケース４の表面温度も上昇していくが、ケース空洞部１０があるため、ケース４の表面の温度は直接ケース内部には伝導しなくなる。
このようにしてケース４の表面の熱をケース４内部に直接伝導しないようにすることで、ケース４内部の温度の上昇を抑制することができる。
【００２４】
以上のように、本実施の形態においては、発熱体１と、発熱体１を内蔵する本体２と、発熱体１の温度制御を行うコントローラ３と、コントローラ３の外郭を成し、本体２に取り付けられたケース４と、ケース４の上面の一部を覆う表面材５と、ケース４に内蔵され、発熱体１に電力を供給し制御する電力制御素子６と、電力制御素子６を搭載し制御する制御基板７と、電力制御素子６に一部を接続され、また別の一部がケース４の開口部を介してケース４の外側でケース４と表面材５との間に取り付けられた放熱板８と、放熱板８とケース４とが接触する部分に設けられたケース空洞部１０とを備えた構成とすることにより、放熱板８が高温になった場合であっても、ケース空洞部１０によって放熱板８から発せられる熱を遮断することで、放熱板８から発せられる熱が直接ケース４内部に伝導しないようにすることが可能となるため、ケース４内部の温度の上昇を抑制することができる面状採暖具とすることができる。
【００２５】
なお、本実施の形態においては、表面材５は本体２と一体とし、また制御基板７の数は１つとしたが、表面材５と本体２が独立している場合、及び制御基板７の数が２つ以上に
分割されている場合においても同様である。
【産業上の利用可能性】
【００２６】
以上のように、本発明にかかる面状採暖具は、断熱材またはケース空洞部によって放熱板から発せられる熱を遮断することで、放熱板から発せられる熱が直接ケースに伝導しないようにすることによりケース内部の温度の上昇を抑制することが可能となるので、一部をケース外部に設けることで、ケース外部に熱を放出する構成となっている放熱板を有する他の機器の信頼性の向上等の用途にも適用できる。
【図面の簡単な説明】
【００２７】
【図１】本発明の実施の形態１の面状採暖具の構成図
【図２】本発明の実施の形態２の面状採暖具の構成図
【図３】従来の面状採暖具の構成図
【符号の説明】
【００２８】
１  発熱体
２  本体
３  コントローラ
４  ケース
５  表面材
６  電力制御素子
７  制御基板
８  放熱板
９  断熱材
１０  ケース空洞部
【図１】
2007178023.tif 000003
【図２】
2007178023.tif 000004
【図３】
2007178023.tif 000005